(57)【特許請求の範囲】
【請求項１】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部と、
前記信号分離部、ビデオデータ処理部及びオーディオデータ処理部の少なくとも一つを制御対象として、前記クロック安定信号に基づいて、前記制御対象の動作状態を制御する制御部とを備え、
前記制御部は、前記クロック安定信号を受けるまでの間、前記制御対象への電源の供給を遮断する
ことを特徴とするデジタル信号受信装置。
【請求項２】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部と、
前記信号分離部、ビデオデータ処理部及びオーディオデータ処理部の少なくとも一つを制御対象として、前記クロック安定信号に基づいて、前記制御対象の動作状態を制御する制御部とを備え、
前記制御部は、前記クロック安定信号を受けるまでの間、前記制御対象への前記第２のクロック信号の供給を遮断する
ことを特徴とするデジタル信号受信装置。
【請求項３】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部と、
前記信号分離部、ビデオデータ処理部及びオーディオデータ処理部の少なくとも一つを制御対象として、前記クロック安定信号に基づいて、前記制御対象の動作状態を制御する制御部とを備え、
前記制御部は、前記クロック安定信号を受けるまでの間、前記制御対象にリセット信号をアサートする
ことを特徴とするデジタル信号受信装置。
【請求項４】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部と、
前記信号分離部、ビデオデータ処理部及びオーディオデータ処理部の少なくとも一つを制御対象として、前記クロック安定信号に基づいて、前記制御対象の動作状態を制御する制御部とを備え、
前記制御部は、前記クロック安定信号を受けるまでの間、前記信号分離部に、前記デジタルＡＶ信号に代えて固定信号を与える
ことを特徴とするデジタル信号受信装置。
【請求項５】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部とを備えたデジタル信号受信装置の制御方法であって、
前記信号分離部、ビデオデータ処理部及びオーディオデータ処理部の少なくとも一つを制御対象として、前記クロック安定信号が出力されるまでの間、前記制御対象への電源の供給を遮断する
ことを特徴とするデジタル信号受信装置の制御方法。
【請求項６】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部とを備えたデジタル信号受信装置の制御方法であって、
前記信号分離部、ビデオデータ処理部及びオーディオデータ処理部の少なくとも一つを制御対象として、前記クロック安定信号が出力されるまでの間、前記制御対象への前記第２のクロック信号の供給を遮断する
ことを特徴とするデジタル信号受信装置の制御方法。
【請求項７】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部とを備えたデジタル信号受信装置の制御方法であって、
前記信号分離部、ビデオデータ処理部及びオーディオデータ処理部の少なくとも一つを制御対象として、前記クロック安定信号が出力されるまでの間、前記制御対象にリセット信号をアサートする
ことを特徴とするデジタル信号受信装置の制御方法。
【請求項８】
与えられたデジタルＡＶ信号からビデオデータとオーディオデータとを分離する信号分離部と、
前記信号分離部によって分離されたビデオデータを処理するビデオデータ処理部と、
前記信号分離部によって分離されたオーディオデータを処理するオーディオデータ処理部と、
与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部とを備えたデジタル信号受信装置の制御方法であって、
前記信号分離部、ビデオデータ処理部及びオーディオデータ処理部の少なくとも一つを制御対象として、前記クロック安定信号が出力されるまでの間、前記信号分離部に、前記デジタルＡＶ信号に代えて固定信号を与える
ことを特徴とするデジタル信号受信装置の制御方法。
【発明の詳細な説明】
【技術分野】
【０００１】
本発明は、デジタル信号の受信装置に関し、特に、デジタルＡＶ（オーディオ・ビデオ）信号の受信装置、例えば、デジタルテレビ、フラットディスプレイパネル及びデジタルビデオレコーダなどに好適なデジタル信号受信装置に関する。
【背景技術】
【０００２】
ＤＶＩ（Digital Visual Interface）規格やＨＤＭＩ（High-Definition Multimedia Interface）規格などに準拠したデジタルＡＶ信号伝送システムでは、ビデオデータ及びオーディオデータを多重化したデジタルＡＶ信号がシリアル伝送される。デジタル信号受信装置は、受信したデジタルＡＶ信号を復号し、さらに、ビデオデータとオーディオデータとを分離して出力する。オーディオデータは、通常、ビデオデータのブランキング期間にパケット形式で重畳されている。デジタル信号受信装置におけるオーディオデータ処理部は、パケット形式のオーディオデータをストリーム形式のオーディオデータに変換して出力する。また、デジタル信号受信装置におけるビデオデータ処理部は、分離されたビデオデータについてフォーマット変換などの処理を行い、処理後のビデオデータを出力する。
【０００３】
また、デジタルＡＶ信号伝送システムでは、ＡＶ信号の伝送線とは別の伝送線でクロック信号が伝送される。デジタル信号受信装置は、与えられたクロック信号から自身の動作クロック信号を生成する。
【０００４】
一方、デジタルＡＶ信号及びクロック信号を受信する信号受信部を複数個備え、複数系統のデジタルＡＶ信号を受信可能なデジタル信号受信装置がある。このような装置は、通常、複数系統のデジタルＡＶ信号及びクロック信号の中からいずれか一つの系統を選択する選択部を備えている。そして、ビデオデータ処理部及びオーディオデータ処理部は、選択部によって選択された系統のビデオデータ及びオーディオデータを処理する。すなわち、各信号受信部は排他的に使用される。
【０００５】
ところで、従来、暗号化されたパケットを受信するパケット受信装置について、受信したパケットが暗号化されていない場合、パケットを復号する復号化手段への電源供給を停止することによって、装置の消費電力の低減を実現している（例えば、特許文献１参照）。
【特許文献１】特開２０００―２６１４９７号公報（第４頁、第１図）
【発明の開示】
【発明が解決しようとする課題】
【０００６】
上記の動作クロック信号は、デジタル信号受信装置に備えられた位相同期回路によって生成される。一般に、位相同期回路は、クロック信号を入力してから安定した信号を出力するまでに若干の時間を要する。従来のデジタル信号受信装置では、動作クロック信号がまだ安定していない間も、デジタルＡＶ信号を受信して処理する部分やデータを復号する部分などが動作している。また、受信したデジタルＡＶ信号にビデオデータ又はオーディオデータが含まれていない場合であっても、ビデオデータ処理部又はオーディオデータ処理部が動作している。さらに、複数系統のデジタルＡＶ信号を受信するデジタル信号受信装置では、選択されていない系統に係る信号受信部が動作している。このように、従来のデジタル信号受信装置には、電力を無駄に消費している点が多多ある。
【０００７】
また、上記のパケット受信装置については、パケット単位で暗号化されているか否かを判断するために、パケットヘッダに暗号化情報を追加する必要がある。さらに、パケットヘッダを分離するヘッダ分離手段及びヘッダを解析するヘッダ解析手段が必要となるため、装置の回路規模が増大してしまう。
【０００８】
上記問題に鑑み、本発明は、デジタル信号受信装置について、特に回路規模を増大させることなく装置の消費電力を低減することを課題とする。
【課題を解決するための手段】
【０００９】
上記課題を解決するために本発明が講じた手段は、デジタル信号受信装置であって、与えられたデジタルＡＶ信号からビデオデータとオーディオデータとを分離する信号分離部と、信号分離部によって分離されたビデオデータを処理するビデオデータ処理部と、信号分離部によって分離されたオーディオデータを処理するオーディオデータ処理部と、与えられた第１のクロック信号から、前記信号分離部、ビデオデータ処理部及びオーディオデータ処理部を動作させるための第２のクロック信号を生成する位相同期回路を有し、前記位相同期回路における位相比較器から出力されるロック信号を前記第２のクロック信号が安定したことを示すクロック安定信号として出力するクロック信号生成部と、信号分離部、ビデオデータ処理部及びオーディオデータ処理部の少なくとも一つを制御対象として、クロック安定信号に基づいて、制御対象の動作状態を制御する制御部とを備えたものとする。そして、制御部は、クロック安定信号を受けるまでの間、制御対象への電源あるいは第２のクロック信号の供給を遮断する、あるいは、制御対象にリセット信号をアサートする、あるいは、信号分離部にデジタルＡＶ信号に代えて固定信号を与えるものとする。
【００１０】
これによると、クロック信号生成部によって生成された第２のクロック信号が安定するまで、この第２のクロック信号に同期して動作する制御対象は動作しなくなる。
【発明の効果】
【００１１】
以上、本発明によると、従来のデジタル信号受信装置に比較的小規模な制御部を追加するだけで、デジタル信号受信装置の状態に応じて動作不要な部分が休止するようになる。具体的には、送信装置と連結するためのケーブルが接続されていない場合、接続されていても送信装置の電源が入っていない場合、接続されていても送信装置が有効なデータを送信していない場合、デジタルＡＶ信号にオーディオ又はビデオデータが含まれていない場合、及び複数の信号受信部を排他的に使用している場合などにおいて、デジタル信号受信装置内部における動作不要な部分が休止するため、装置の消費電力が低減する。
【発明を実施するための最良の形態】
【００１２】
本発明を実施するための最良の形態を説明する前に、ＤＶＩ規格やＨＤＭＩ規格などに準拠したデジタルＡＶ信号伝送システムで伝送される信号について説明する。図４は、符号化前のビデオ及びオーディオ信号を模式的に表したものである。ライン１からラインＸ＋Ｙまでが時系列的に連続して出力されたものが、符号化前のビデオ及びオーディオ信号（以下、単に「信号」と称する。）３０１である。信号３０１におけるラインＸ＋１からラインＸ＋Ｙまでのハッチング表示した部分はビデオ信号を表し、それ以外の部分はオーディオ信号及び制御信号を表す。制御信号は、フレームの区切りを示す垂直同期信号、各ラインの区切りを示す水平同期信号、及び各ライン中でビデオデータとそれ以外のデータとの区切りを示すデータイネーブル信号などを含む。デジタルＡＶ信号伝送システムでは、上記のような信号３０１が符号化され、さらに所定の伝送方式による信号、例えば、差動信号として伝送される。
【００１３】
以下、本発明を実施するための最良の形態について、図面を参照しながら説明する。
【００１４】
（本発明の実施形態）
図１は、本発明の実施形態に係るデジタル信号受信装置の構成を示す。本実施形態に係るデジタル信号受信装置は、信号分離部１１及びクロック信号生成部１２から成る信号受信部１３、ビデオデータ処理部１４及びオーディオデータ処理部１５から成る出力部１６、及び制御部１７を備えている。信号分離部１１は、入力したデジタルＡＶ信号１０１から符号化データを復元及び復号し、復号したデータからビデオデータ１０２とオーディオデータ１０３とを分離して出力する。クロック信号生成部１２は、入力したクロック信号１０４の周波数を逓倍し、クロック信号１０５を出力する。具体的には、クロック信号生成部１２は、位相同期回路（不図示）を備えており、この位相同期回路によってクロック信号１０４の周波数を逓倍し、クロック信号１０５を生成する。ビデオデータ処理部１４は、ビデオデータ１０２を処理してビデオ信号１０６を出力する。オーディオデータ処理部１５は、オーディオデータ１０３を処理してオーディオ信号１０７を出力する。信号分離部１１、ビデオデータ処理部１４及びオーディオデータ処理部１５は、それぞれ、クロック信号１０５を動作クロック信号として動作する。
【００１５】
クロック信号生成部１２は、クロック信号１０５が安定したことを示すクロック安定信号１０８を出力する。クロック安定信号１０８として、例えば、位相同期回路における位相比較器（不図示）から出力されるロック信号を用いるとよい。位相比較器からロック信号が出力されたということは、位相同期回路の出力が所定の周波数にロックされたということを表すからである。
【００１６】
制御部１７は、制御信号１０９を出力し、制御対象としての信号分離部１１、ビデオデータ処理部１４及びオーディオデータ処理部１５の動作状態を制御する。具体的には、制御部１７は、クロック安定信号１０８を受けるまでの間は制御対象を休止させる。そして、クロック安定信号１０８を受けてから以降は制御対象を動作させる。
【００１７】
次に、制御部１７による制御例をいくつか示す。
【００１８】
（第１の制御例）制御部１７は、クロック安定信号１０８を受けるまでの間、制御対象に供給される電源を遮断する。そして、クロック安定信号１０８を受けてから制御対象に電源を供給する。
【００１９】
（第２の制御例）制御部１７は、クロック安定信号１０８を受けるまでの間、制御対象におけるフリップフロップ（不図示）に供給されるクロック信号１０５を遮断する。そして、クロック安定信号１０８を受けてから、各フリップフロップにクロック信号１０５を供給する。
【００２０】
（第３の制御例）制御部１７は、クロック安定信号１０８を受けるまでの間、制御対象にリセット信号としての制御信号１０９をアサートする。そして、クロック安定信号１０８を受けてから制御信号１０９をデアサートする。
【００２１】
（第４の制御例）制御部１７は、クロック安定信号１０８を受けるまでの間、信号分離部１１に、デジタルＡＶ信号１０１に代えて固定信号を与える。そして、クロック安定信号１０８を受けてから信号分離部１１にデジタルＡＶ信号１０１を与える。
【００２２】
上記の各制御により、クロック信号１０５が安定するまで、信号分離部１１、ビデオデータ処理部１４及びオーディオデータ処理部１５は動作しないため、無駄な電力が消費されることがない。しかも、制御部１７の回路規模は比較的小さい。したがって、回路規模を増大させることなくデジタル信号受信装置の消費電力が低減する。
【００２３】
なお、信号分離部１１、ビデオデータ処理部１４及びオーディオデータ処理部１５の少なくとも一つを制御対象とした場合であっても、上記の効果が得られることは言うまでもない。また、上記の各制御例を適宜組み合わせてもよい。
【００２４】
（参考実施形態）
図２は、参考実施形態に係るデジタル信号受信装置の構成を示す。本実施形態に係るデジタル信号受信装置は、第１の実施形態と比較して、制御部１７の動作が異なる。これ以外の点は第１の実施形態と同様であるため詳細な説明を省略する。
【００２５】
信号分離部１１は、入力したデジタルＡＶ信号１０１にビデオデータ及びオーディオデータが含まれるか否かを検出し、この検出結果を示す判別信号１１０を出力する。具体的には、信号分離部１１は、デジタルＡＶ信号１０１から復号したデータにビデオデータが存在するか否かを検出するとともに、ビデオデータが存在する場合には、ビデオデータのブランキング期間中にオーディオサンプルパケットが存在するか否かを検出する。ビデオデータのブランキング期間中にビデオデータ以外のパケットデータを多重化して伝送する方式において、パケットデータとビデオデータとを分離する処理は必要不可欠である。信号分離部１１は、このような分離処理において副次的に生成される情報を判別信号１１０として出力する。
【００２６】
制御部１７は、判別信号１１０を入力し、これに基づいてビデオデータ処理部１４及びオーディオデータ処理部１５の動作状態を制御する。具体的には、制御部１７は、判別信号１１０に基づいて、ある一定期間、デジタルＡＶ信号１０１にビデオデータが含まれていないと判断したとき、ビデオデータ処理部１４を休止させる。また、ある一定期間、オーディオサンプルパケットが含まれていないと判断したとき、オーディオデータ処理部１５を休止させる。
【００２７】
ビデオデータ処理部１４及びオーディオデータ処理部１５の休止方法は、上記の第１から第３の制御例と同様に、電源の遮断、クロックの遮断又はリセット信号のアサートによって行うとよい。また、これらの方法を適宜組み合わせてもよい。
【００２８】
以上、本実施形態によると、デジタルＡＶ信号１０１にビデオデータが含まれない場合にはビデオデータ処理部１４が休止し、オーディオデータが含まれない場合にはオーディオデータ処理部１５が休止するため、無駄な電力が消費されることがない。しかも、制御部１７の回路規模は比較的小さい。したがって、回路規模を増大させることなくデジタル信号受信装置の消費電力が低減する。
【００２９】
（参考実施形態）
図３は、参考実施形態に係るデジタル信号受信装置の構成を示す。本実施形態に係るデジタル信号受信装置は、２個の信号受信部１３、出力部１６、制御部１７及び選択部１８を備え、２系統のデジタルＡＶ信号１０１及びクロック信号１０４が入力可能となっている。なお、信号受信部１３及び出力部１６は、第１の実施形態に係るものと同様であるため説明を省略する。
【００３０】
選択部１８は、選択信号１１１を受け、これに基づいて２個の信号受信部１３のいずれか一方を選択する。そして、選択した信号受信部１３から出力されたビデオデータ１０２、オーディオデータ１０３及びクロック信号１０５を出力する。
【００３１】
制御部１７は、選択信号１１１を入力し、これに基づいて、制御対象としての信号分離部１１及びクロック信号生成部１２の動作状態を制御する。具体的には、制御部１７は、選択信号１１１によって選択されていない信号受信部１３に含まれる制御対象を休止させる。
【００３２】
制御対象の休止は、上記の第１から第４の制御例と同様に、電源の遮断、クロックの遮断、リセット信号のアサート、又はデジタルＡＶ信号に代えた固定信号の入力によって行うとよい。また、これらの方法を適宜組み合わせてもよい。
【００３３】
以上、本実施形態によると、選択されていない信号受信部１３が休止するため、無駄な電力が消費されることがない。しかも、制御部１７の回路規模は比較的小さい。したがって、特に回路規模を増大させることなくデジタル信号受信装置の消費電力が低減する。
【００３４】
なお、信号受信部１３を３個以上備えたデジタル信号受信装置についても、本発明が奏する効果に何ら違いはない。
【００３５】
以上、本発明のいくつかの実施形態について説明したが、上記の各実施形態を適宜組み合わせた構成にしてもよい。
【００３６】
また、各実施形態において制御部１７はデジタル信号受信装置の外部に設けてもよい。すなわち、制御部として外部のマイクロコントローラなどからデジタル信号受信装置内部の信号分離部１１、クロック信号生成部１２、ビデオデータ処理部１４及びオーディオデータ処理部１５の動作状態を制御するようにしてもよい。具体的には、外部の制御部からデジタル信号受信装置内部のレジスタに制御情報を書き込み、そのレジスタ値を参照して、信号分離部１１、クロック信号生成部１２、ビデオデータ処理部１４及びオーディオデータ処理部１５の動作状態が制御されるようにすればよい。
【産業上の利用可能性】
【００３７】
以上のように、本発明に係るデジタル信号受信装置は、主にデジタルＡＶ信号を非圧縮シリアル伝送するシステムにおける受信装置として、また、このようなシステムに限らず、ビデオデータにオーディオデータを重畳する方式の伝送システムの受信装置、又は複数の信号受信部を備え、これらを排他的に使用する受信装置などとして有用である。特に、低消費電力が求められる受信装置として有用である。
【図面の簡単な説明】
【００３８】
【図１】図１は、本発明の実施形態に係るデジタルＡＶ信号受信装置の構成図である。
【図２】図２は、参考実施形態に係るデジタルＡＶ信号受信装置の構成図である。
【図３】図３は、参考実施形態に係るデジタルＡＶ信号受信装置の構成図である。
【図４】図４は、符号化前のビデオ及びオーディオ信号の模式図である。
【符号の説明】
【００３９】
１１  信号分離部
１２  クロック信号生成部
１３  信号受信部
１４  ビデオデータ処理部
１５  オーディオデータ処理部
１７  制御部
１８  選択部
１０１  デジタルＡＶ信号
１０２  ビデオデータ
１０３  オーディオデータ
１０４  クロック信号（第１のクロック信号）
１０５  動作クロック信号（第２のクロック信号）
１０８  クロック安定信号
１１０  判別信号
１１１  選択信号
【図１】
0004512591.tif 000002
【図２】
0004512591.tif 000003
【図３】
0004512591.tif 000004
【図４】
0004512591.tif 000005